(57)【要約】【課題】レーンを設けた一般のプールで泳いでいるとき、顔が下方または上方を向いたままでも進行方向を確認でき、他の泳者との接触が少なくなるようなスイミングゴーグルを提供する。【解決手段】レンズ部を有する一対のアイカップと、一対のアイカップを接続するノーズブリッジと、一対のアイカップの外周部の接眼側に設けられたフェイスパッドと、アイカップとフェイスパッドのゴーグル本体を泳者の頭部に取付けるためのヘッドバンドを有するスイミングゴーグルであって、レンズ部の内部を左右方向に光線反射部を設けたことを特徴とするスイミングゴーグルである。【選択図】図２
2019000280.tif 000002
【特許請求の範囲】
【請求項１】
レンズ部を有する一対のアイカップと、
前記一対のアイカップを接続するノーズブリッジと、
前記一対のアイカップの外周部の接眼側に設けられたフェイスパッドと、
前記アイカップおよび前記フェイスパッドのゴーグル本体を泳者の頭部に取付けるためのヘッドバンドを有するスイミングゴーグルであって、
前記レンズ部の内部を左右方向に光線反射部を設けたことを特徴とするスイミングゴーグル。
【請求項２】
請求項１に記載のスイミングゴーグルであって、
前記光線反射部は平面であることを特徴とするスイミングゴーグル。
【請求項３】
請求項２に記載のスイミングゴーグルであって、
前記光線反射部は、前記レンズ部後方より前方に対して所定の角度傾けて形成したことを特徴とするスイミングゴーグル。
【請求項４】
請求項１に記載のスイミングゴーグルであって、
前記光線反射部は、円柱の側面の形状であって円柱の周方向に凸形状であることを特徴とするスイミングゴーグル。
【請求項５】
請求項１に記載のスイミングゴーグルであって、
前記光線反射部は、前記レンズ部の左右方向の中央部が凹形状であることを特徴とするスイミングゴーグル。
【請求項６】
レンズ部を有する一対のアイカップと、
前記一対のアイカップを接続するノーズブリッジと、
前記一対のアイカップの外周部の接眼側に設けられたフェイスパッドと、
前記アイカップおよび前記フェイスパッドのゴーグル本体を泳者の頭部に取付けるためのヘッドバンドを有するスイミングゴーグルであって、
前記アイカップの下側周壁部の内面に光線反射部を設けたことを特徴とするスイミングゴーグル。
【発明の詳細な説明】
【技術分野】
【０００１】
本発明は、泳者の進行方向を容易に確認しうるスイミングゴーグルに関する。
【背景技術】
【０００２】
人がうつ伏せまたは仰向けの状態になって泳ぐとき、その泳者の視線は、下方または上方を向き進行方向と直交する方向となる。そのため、進行方向の状況を確認するには、顔を起こして進行方向に向ける必要がある。
【０００３】
しかし、顔を起こして進行方法に向けることは、泳ぐ姿勢を無理に変えることになるため、進行方向の確認が疎かになりがちである。
ところで、一般のプールでは、同じレーンを複数の泳者が一定の距離をおいて使用することが多く、このような状況においては、泳者は自分の進行方向を頻繁に確認する必要があり、この確認を怠れば、他人との接触を避けられない。
【０００４】
しかしながら、従来のスイミングゴーグルでは、進行方向の確認はスイミングゴーグルのレンズを介して直視しているため、例えばクロール泳ぎの場合、息継ぎ等で顔を横向きにして水中に戻したとき、顔を進行方向に向けて他の泳者と接触しないか確認することになる。進行方向を確認する度に、顔を進行方向に向けていたのでは、滑らかな遊泳が困難となるばかりでなく、蛇行の原因にもなる。また、進行方向の確認を怠ると、泳者の手が前方の他の泳者の足や、隣のレーンで泳いでいる泳者の身体の一部に接触するという問題があった。
【０００５】
その問題を解決するために、特許文献１には、スイミングゴーグル内部下側に台座を設け、その台座に傾けたミラーを取付けて、進行方法を写し出し、その安全を確認する発明が開示されている。
この発明によれば、台座を設けているため、それによりスイミングゴーグルのレンズ部の下部が覆われ、スイミングゴーグルの視野が狭くなるという問題があった。また、台座を設けるための部材が新たに必要となる問題があった。
【先行技術文献】
【特許文献】
【０００６】
【特許文献１】特開平１０−２９０８４６号公報
【発明の概要】
【発明が解決しようとする課題】
【０００７】
本発明は、前記従来の問題を鑑みてなされたものであって、その目的は、スイミングゴーグルの視野が狭くならず、また新たな部品の追加をしないで、レーンを設けた一般のプールで泳いでいるとき、顔が下方または上方を向いたままでも進行方向を確認でき、他の泳者との接触が少なくなるようなスイミングゴーグルを提供することにある。
【課題を解決するための手段】
【０００８】
本発明は、レンズ部を有する一対のアイカップと、一対のアイカップを接続するノーズブリッジと、一対のアイカップの外周部の接眼側に設けられたフェイスパッドと、アイカップおよびフェイスパッドのゴーグル本体を泳者の頭部に取付けるためのヘッドバンドを有するスイミングゴーグルであって、レンズ部の内部を左右方向に光線反射部を設けたことを特徴とするスイミングゴーグルである。
【発明の効果】
【０００９】
この発明によれば、スイミングゴーグルに光線反射部が設けられており、泳者は、この光線反射部により、顔を進行方法に向けて起こさなくても進行方向を確認でき、他の泳者との接触を少なくすることができる。
【図面の簡単な説明】
【００１０】
【図１】本発明の実施形態に係るスイミングゴーグルの概略斜視図である。
【図２】本発明の第１の実施形態に係るレンズ部に設けた光線反射部の概略斜視図である。
【図３】本発明の第１の実施形態に係るレンズ部の断面図である。
【図４】本発明の第２の実施形態に係るレンズ部に設けた光線反射部の概略斜視図である。
【図５】本発明の第２の実施形態に係る光線反射部の形状の概略図である。
【図６】本発明の第２の実施形態に係るレンズ部の部分断面図である。
【図７】本発明の第３の実施形態に係るレンズ部に設けた光線反射部の概略斜視図である。
【図８】本発明の第３の実施形態に係る光線反射部の形状の概略図である。
【図９】本発明の第４の実施形態に係る光線反射部の形状の概略図である。
【図１０】本発明の第５の実施形態に係るアイカップ内面に光線反射部を設けたスイミングゴーグルの概略斜視図である。
【図１１】第５の実施形態に係る光線反射部を設けたアイカップの断面図である。
【発明を実施するための形態】
【００１１】
以下、本発明のスイミングゴーグルについて、図面を参照して説明する。
図１は、本発明の実施形態に係るスイミングゴーグルの概略斜視図である。図１に示すスイミングゴーグル１は、前後方向Ｘ、上下方向Ｙおよび左右方向Ｚを有し、一対のアイカップ１１と、一対のアイカップ１１から後方へ環状に延びる一対のフェイスパッド１３と、アイカップ１１の両外側部を連結するヘッドバンド１５（連結するための挿通部のみで他の部分は図示していない）と、アイカップ１１の両内側部を連結するノーズブリッジ１４とを含む。アイカップ１１とフェイスパッド１３との組み合わせは、以下、ゴーグル本体という。
【００１２】
アイカップ１１は、ポリカーボネート等の硬質プラスチック材料または軟質プラスチック材料から形成されており、レンズ部１０の外周縁から後方へ環状に延びるフレーム部１２を有する。
フレーム部１２は、レンズ部１０の上端縁から後方へ延びる上側周壁部と、レンズ部１０の下端縁から後方へ延びる下側周壁部と、レンズ部１０の外側縁から後方へ延びる両サイド周壁部とを有する。
【００１３】
また、フレーム部１２は、レンズ部１０から後方へ向かうにつれて径方向外方へ延びており、上側周壁部と下側周壁部との外面は、前方へ下りまたは上り勾配の傾斜状を有する。アイカップ１１の内側部には、レンズ部１０の内側縁から突出した連結部が位置する。
また、アイカップ１１の外側部には、フレーム部１２のサイド周壁部からさらに後方へ延びるヘッドバンド１５の端部を連結するための挿通部が位置する。なお、アイカップ１１のレンズ部１０とフレーム部１２を別部材から構成して組み合わせてもよい。
【００１４】
ヘッドバンド１５とフェイスパッド１３とは、可撓性を有する比較的に柔軟な材料、例えば、ポリウレタン等の柔軟かつ弾性を有する軟質プラスチック材料から形成される。ノーズブリッジ１４は、硬質プラスチック材料または可撓性を有する軟質プラスチック材料から形成されており、装着者の鼻部に沿う曲状であって、両端に突起を有する。
一対のアイカップ１１の内側部は、ノーズブリッジ１４の両端に位置する突起が一対のアイカップ１１の内側部に位置する連結部によって互いに連結される。
【００１５】
フェイスパッド１３は、レンズ部１０の後面から後方へ延びる環状の内側環状部と嵌合される環状の前方周壁部と、前方周壁部から後方かつ径方向外方へ延びる後方周壁部とを有する。前方周壁部の前端部は、その周方向においてフレーム部１２と内側環状部との間に挟み込まれている。
なお、フェイスパッド１３は、アイカップ１１と接着剤や公知の熱溶着手段によって接合されていてもよいし、アイカップ１１と別体ではなく一体に成型してもよい。
【００１６】
（第１の実施形態）
図２は、本発明の第１の実施形態に係るレンズ部に設けた光線反射部の概略斜視図である。スイミングゴーグル１のレンズ部１０の内部、具体的には下部の左右方向に、レンズ部１０を上下２つに分けた下側部の上面に、光線反射部２０を設けたものである。この光線反射部２０は鏡面処理を施している。
【００１７】
図３は、本発明の第１の実施形態に係るレンズ部１０の断面図である。図２に示すＩ−Ｉ線に沿う切断面を、右方向より見た図である。
図２および図３に示すように、光線反射部２０は平面であって、角度θだけレンズ部１０の前方向の上方に傾斜した形状で設けられている。なお、角度θは４５度よりも小さいことが好ましい。
これにより、スイミングゴーグルを装着した泳者は、水泳中に顔を上げなくても、前方の泳者が近くにいることを適切に確認することができる。
【００１８】
また、角度θは、アイカップ１１の大きさ、例えばスイミングゴーグル１を装着したときのアイカップ１１のレンズ部１０と泳者の眼との距離および位置によって決めることができる。さらに、本実施形態では角度θは上方に傾斜しているが、下方に傾斜した場合があってもよい。
【００１９】
（第２の実施形態）
図４は、本発明の第２の実施形態に係るレンズ部に設けた光線反射部の概略斜視図である。図４に示す光線反射部２１は、平面ではなく円柱を軸方向に沿って切り取った側面の形状となっており、円柱軸の周方向の中央部が凸形状となっている。図５は、この光線反射部２１の形状の概略図である。
【００２０】
ここで、図２に示す第１の実施形態のレンズ部１０の光線反射部２０は平面であり、レンズ部１０の厚みにより光線反射部２０の前後方向の幅は限られる。よって、レンズ部１０に設けられた光線反射部２０の前後方向の幅が狭くなり、前方の視野には限度がある。
そこで、図４に示すような円柱形の側面の中央部が凸形状となった光線反射部２１とすることで、凸面鏡の機能により前方の視野が拡大される。図５に示すように光線反射部２１の円柱形の側面は、半径ｒ１で形成するようにしてもよい。半径ｒ１は、レンズ部１０の厚さおよび視野の範囲等により決めることができるが、レンズ部１０の厚さより大きいことが好ましい。この光線反射部２１は鏡面処理を施している。
【００２１】
図６は、図４のＩＩ−ＩＩ線に沿って切断したレンズ部１０の部分断面図である。図６に示すように光線反射部２１は、断面が半径ｒ１の形状であるが、レンズ部１０の後方側から角度θの傾きを設けて形成するようにしてもよい。
すなわち、光線反射部２１の断面は、図６に示すＡ点では、角度θのＡ点を通る直線が半径ｒ１の円弧の接線となっている。これにより、図６に示すＡ点での光線の反射は、第１の実施形態である平面の場合と変わりはないが、Ｂ点では平面であるＣ点と比べ、より広い範囲の光線を入射でき視野が拡大される。
【００２２】
（第３の実施形態）
図７は、本発明の第３の実施形態に係るレンズ部に設けた光線反射部の概略斜視図である。図７に示す光線反射部２２は、平面ではなく、レンズ部１０の左右方向の中央部が凹形状になっている。図８は、その光線反射部２２の形状の概略図である。凹形状の半径ｒ２は、レンズ部１０の下端縁の形状が円弧で近似されるとき、その半径よりも大きいことが好ましい。さらに、第２の実施形態で説明したように、角度θの傾きを設けてもよい。また、この光線反射部２２は鏡面処理が施されている。
このような形状とすることにより、泳者の左右方向を拡大して見ることができる。
【００２３】
（第４の実施形態）
図９は、本発明の第４の実施形態に係るレンズ部に設けた光線反射部の形状の概略図である。
図９に示す光線反射部２３は、レンズ部１０の左右方向および前後方向にそれぞれ半径ｒ３、ｒ４の形状で形成されている。この半径ｒ３および半径ｒ４は、上記の半径ｒ１および半径ｒ２と同じ大きさであることが好ましい。なお、この光線反射部２３も鏡面処理が施されている。
これにより、泳者の前方の上下方向の視野が広がり、泳者の左右方向の視野が拡大される。
【００２４】
（第５の実施形態）
図１０は、本発明の第５の実施形態に係るアイカップ内面に光線反射部を設けたスイミングゴーグルの概略斜視図である。
図１０に示す光線反射部２４は、アイカップ１１の下側周壁部の内面に設けられたものである。
光線反射部２４がアイカップ１１の下側周壁部の内側に設けられているため、レンズ部１０の内部に光線反射部を設ける必要がなく、アイカップ１１の成型後に鏡面処理を施すことができるため、容易に光線反射部２４を設けることができる。
【００２５】
図１１は、光線反射部２４を設けたアイカップの断面図であり、図１０のＶ−Ｖ線に沿う概略断面図である。フレーム部１２の下側周壁部は、レンズ部１０の外周縁から後方へ環状に延びた形状であるため、光線反射部２４は中央部が凹形状である。さらに、前方へ上り勾配の傾斜状を有している。図７に示すレンズ部１０に光線反射部２２を設けた第３の実施形態とほぼ同じ形状であるが、光線反射部の設けられた場所が異なる。
【００２６】
なお、本発明の各実施形態の光線反射部は、半径ｒ１〜ｒ４の円弧の形状としているが、円弧ではなく放物線の形状であってもよい。また、完全な円弧でなくても円弧で近似できる形状であってもよい。
【００２７】
以上説明したように、本発明のスイミングゴーグルは、レンズ部１０またはアイカップ１１の下側周壁部内面に、光線反射部が設けられており、泳者は、この光線反射部により、顔を進行方法に向けなくても進行方向を視認でき、他の泳者との接触を少なくすることができる。
【符号の説明】
【００２８】
１・・・スイミングゴーグル、１０・・・レンズ部、１１・・・アイカップ、１２・・・フレーム部、１３・・・フェイスパッド、１４・・・ノーズブリッジ、１５・・・ヘッドバンド、２０〜２４・・・光線反射部。
【図１】
2019000280.tif 000003
【図２】
2019000280.tif 000004
【図３】
2019000280.tif 000005
【図４】
2019000280.tif 000006
【図５】
2019000280.tif 000007
【図６】
2019000280.tif 000008
【図７】
2019000280.tif 000009
【図８】
2019000280.tif 000010
【図９】
2019000280.tif 000011
【図１０】
2019000280.tif 000012
【図１１】
2019000280.tif 000013